(57)【特許請求の範囲】
【請求項１】
ランプ本体の上面から突出されてルーフトリムに形成された被係合部と係合することにより前記ルーフトリムに前記ランプ本体を仮固定する複数の係合爪と、前記上面から突出されてルーフパネルに形成された被係合部と係合することにより前記ルーフパネルに前記ルーフトリムと一体に前記ランプ本体を固定する複数の弾性係合爪とを備えた車両用ルームランプにおいて、
前記弾性係合爪は、前記上面を開放するように前記ランプ本体に設けられた保持開口に一端が片持ち保持され、該一端から前記保持開口の上方へと延出しかつ自由端となる他端が前記保持開口の内方に位置するように折り返された板バネであり、
前記弾性係合爪には、折り返された上端から前記他端へと至る間に、前記ルーフパネルの前記被係合部に対して上方から係合する係合面を形成すべく嘴状に突出する先端部が形成され、
前記係合面は、前記ルーフパネルの上面側と当該ルーフパネルの底面側とに跨るように前記先端部側に向かって上向きに傾斜する傾斜係合面とされ、
前記他端の近傍には、前記保持開口の周縁部底面に対して下方から当接する脱落防止片が形成され、
前記弾性係合爪では、前記ランプ本体の荷重に起因して該ランプ本体が前記ルーフパネルから離間し始めると、前記脱落防止片から前記周縁部底面への押圧力が増加することを特徴とする車両用ルームランプ。
【請求項２】
前記脱落防止片は、その先端側で前記ランプ本体の底面と当接するように先端側に向かって上向き傾斜されていることを特徴とする請求項１に記載の車両用ルームランプ。
【請求項３】
前記弾性係合爪は、前記先端部が互いに離反する方向へ突出するように、前記ランプ本体に設けられたバルブの中心を基準として略対角線上で対を為して振り分け配置されていることを特徴とする請求項１または請求項２に記載の車両用ルームランプ。
【発明の詳細な説明】
【０００１】
【発明の属する技術分野】
本発明は、ランプ本体の上面から突出されてルーフトリムに形成された被係合部と係合することによりルーフトリムに前記ランプ本体を仮固定する複数の係合爪と、前記上面から突出されてルーフパネルに形成された被係合部と係合することによりルーフパネルにルーフトリムと一体に前記ランプ本体を固定する複数の弾性係合爪とを備えた車両用ルームランプに関する。
【０００２】
【従来の技術】
従来から、車体の天井には、例えば、車体ドアの開閉に連動するなどのスイッチの接点選択状態に応じて点灯するルームランプが装備されている。
【０００３】
一方、車体天井は、外装用天井パネルとしてのループパネルと、内装用天井パネルとしてのルーフトリム（成形天井）とから構成されている。この際、ルーフパネルには、車外側に位置する外壁と、この外壁よりも車室内側に位置する内壁と、この内壁とルーフトリムとの間に位置するルームランプ取付用の取付パネル（補強パネル兼用の場合もある）とを備えているのが一般的である。
【０００４】
このような天井構造の車体にルームランプを装着する場合、ルームランプをルーフトリムの所定位置に仮固定した後、このルーフトリムとルームランプとを一体としてルーフパネル（上述したパネル構成の場合には補強パネル）に本固定する方がルーフパネルに対するルームランプの位置決めや、ルーフパネルの車体中央部位に対するルーフトリムの支持構造が容易となる等の組み付け性の観点から好ましい。
【０００５】
このようなルーフトリムに一旦仮固定した後にルーフパネルに本固定する構造を採用したものを図６乃至図９に示す。
【０００６】
図において、１はルーフパネルとしての内壁（図８にのみ図示）、２はルーフパネルとしての取付パネル（図６，８，９に図示）、３はルーフトリム（図６，８に図示）、４はルームランプである。
【０００７】
内壁１は、その周縁部が図示を略する外壁の周縁部とでスポット溶接等によって接合されている。取付パネル２は、図６に示すように、車体左右（又は前後）に延びる一対のフランジ２ａとこのフランジ２ａ間に跨る台形部２ｂとで断面略ハット形状を呈しており、内壁１に固定されている。
【０００８】
フランジ２ａには係合爪挿通凹部２ｃと弾性係合挿通凹部２ｄとが形成（一方のフランジ２ａは両者兼用の凹部２ｃ）されている。また、弾性係合爪挿通凹部２ｄの一縁部周辺は被係合部２ｅとなっている。
【０００９】
ルーフトリム３には、車室内側に開放するランプ収納凹部３ａが形成されている。このランプ収納凹部３ａの底面３ｂには開口３ｃが形成されている。また、底部３ｂには、被係合部３ｄが形成されている。この被係合部３ｄは、係合爪貫通穴３ｅと、係合爪貫通穴３ｅに連通するスリット３ｆと、その周辺の上面３ｇとから構成されている。
【００１０】
ルームランプ４は、その一部を構成するランプハウジング５と、ランプハウジング５に一対の端子６を介して装着された船形のバルブ７と、バルブ７から出射された照明光束を透過するレンズ（図示せず）と、バルブ７の点灯状態を選択するスイッチ（図示せず）とを備えている。
【００１１】
ランプハウジング５には、図７に示すように、その上面５ａから上方に向けて突出された一対の係合爪５ｂが一体に形成されている。また、ランプハウジング５には、その上面５ａから上方に向けて突出された一対の弾性係合爪８が保持されている。
【００１２】
一対の係合爪５ｂは、ランプハウジング５の中心（又は重心）を基準として略対角線上に振り分け配置されており、嘴状に突出する先端が側面視で互いに向き合うランス形状に形成されている。
【００１３】
一対の弾性係合爪８は、バルブ７の中心を基準として略対角線上に振り分け配置されており、嘴状に突出する先端が側面視で互いに離反するランス形状に屈曲形成された板バネからなり、その一端８ａをランプハウジング５に固定すると共に、その他端８ｂを自由端として変形可能としている。
【００１４】
このような構成においては、先ず、図８（Ａ），（Ｂ）に示すように、係合爪５ｂの先端でスリット３ｆを強制的に広げつつ係合爪５ｂの上端を係合爪貫通穴３ｅから挿入し、係合爪５ｂの先端底面を周辺部３ｇに当接させることによってルームランプ４をルーフトリム３に仮固定する。
【００１５】
次に、この状態から、図８（Ｃ）に示すように、弾性係合爪８の先端底面を被係合部２ｅに当接させることによってルームランプ４をルーフトリム３と一体にルーフパネルとしての取付パネル２に本固定する。
【００１６】
この際、弾性係合爪８の他端８ｂが自由端となっていることから、図９（Ａ）に示すように、弾性係合爪８の上端の円弧形状に案内されてその上端の円弧が小さくなりつつ先端から他端８ｂに至る部位が一端８ａ側に変位された後、先端が凹部２ｄを貫通することにより、図９（Ｂ）に示すように、変形部位が弾性復帰して被係合部２ｅに対する弾性係合爪８の先端底面の当接が可能となる。
【００１７】
【発明が解決しようとする課題】
ところで、上記の如く構成された車両用ルームランプにあっては、図９（Ｂ）に示すように、弾性係合爪８の先端底面と被係合部２ｅとが略水平で一致しなければならないことから、これら両者の三次元の相対位置関係を厳密にしなければならないという問題があった。
【００１８】
本発明は、上記問題を解決するため、弾性係合爪と被係合部との三次元の相対位置関係を厳密に確保する必要なくルーフトリムと一体にルームランプをルーフパネルに本固定することができる車両用ルームランプを提供することを目的とする。
【００１９】
【課題を解決するための手段】
その目的を達成するため、請求項１に記載の車両用ルームランプは、ランプ本体の上面から突出されてルーフトリムに形成された被係合部と係合することにより前記ルーフトリムに前記ランプ本体を仮固定する複数の係合爪と、前記上面から突出されてルーフパネルに形成された被係合部と係合することにより前記ルーフパネルに前記ルーフトリムと一体に前記ランプ本体を固定する複数の弾性係合爪とを備えた車両用ルームランプにおいて、前記弾性係合爪は、前記上面を開放するように前記ランプ本体に設けられた保持開口に一端が片持ち保持され、該一端から前記保持開口の上方へと延出しかつ自由端となる他端が前記保持開口の内方に位置するように折り返された板バネであり、前記弾性係合爪には、折り返された上端から前記他端へと至る間に、前記ルーフパネルの前記被係合部に対して上方から係合する係合面を形成すべく嘴状に突出する先端部が形成され、前記係合面は、前記ルーフパネルの上面側と当該ルーフパネルの底面側とに跨るように前記先端部側に向かって上向きに傾斜する傾斜係合面とされ、前記他端の近傍には、前記保持開口の周縁部底面に対して下方から当接する脱落防止片が形成され、前記弾性係合爪では、前記ランプ本体の荷重に起因して該ランプ本体が前記ルーフパネルから離間し始めると、前記脱落防止片から前記周縁部底面への押圧力が増加することを要旨とする。
【００２０】
また、請求項２に記載の車両用ルームランプは、前記脱落防止片は、その先端側で前記ランプ本体の底面と当接するように先端側に向かって上向き傾斜されていることを要旨とする。
【００２１】
さらに、請求項３に記載の車両用ルームランプは、前記弾性係合爪は、前記先端部が互いに離反する方向へ突出するように、前記ランプ本体に設けられたバルブの中心を基準として略対角線上で対を為して振り分け配置されていることを要旨とする。
【００２３】
【発明の実施の形態】
次に、本発明の車両用ルームランプの実施の形態を図１乃至図５に基づいて説明する。
【００２４】
図１，図２において、１１はルーフパネルとしての内壁（図２，４に図示）、１２はルーフパネルとしての取付パネル（図１，２，４，５に図示）、１３はルーフトリム（図１，２，４に図示）、２０はルームランプである。
【００２５】
内壁１１は、その周縁部が図示を略する外壁の周縁部とでスポット溶接等によって接合されている。取付パネル１２は、図１に示すように、車体左右（又は前後）に延びる一対のフランジ１２ａとこのフランジ１２ａ間に跨る台形部１２ｂとで断面略ハット形状を呈しており、内壁１１に固定されている。
【００２６】
フランジ１２ａには係合爪挿通凹部１２ｃと弾性係合挿通凹部１２ｄとが形成されている。また、弾性係合爪挿通凹部１２ｄの一縁部は被係合部１２ｅとなっている。
【００２７】
ルーフトリム１３には、車室内側に開放するランプ収納凹部１３ａが形成されている。このランプ収納凹部１３ａの底面１３ｂには開口１３ｃが形成されている。また、底部１３ｂには、被係合部１３ｄが形成されている。被係合部１３ｄは、係合爪貫通穴１３ｅと、係合爪貫通穴１３ｅに連通するスリット１３ｆと、その周辺の上面１３ｇとから構成されている。
【００２８】
ルームランプ２０は、その一部を構成するランプハウジング２１と、ランプハウジング２１に一対の端子２２を介して装着された船形のバルブ２３と、バルブ２３から出射された照明光束を透過するレンズ２４（図２にのみ図示）と、バルブ２３の点灯状態を選択するスイッチ２５（図２（Ａ）にのみ図示）と、バルブ２３の上方を覆うシェード兼用のリフレクタ２６とを備えている。
【００２９】
ランプハウジング２１には、図２に示すように、その上面２１ａから上方に向けて突出された一対の係合爪２１ｂが一体に形成されている。また、ランプハウジング２１には、その上面２１ａから上方に向けて突出された一対の弾性係合爪２７を保持するための保持開口２１ｃが形成されている。
【００３０】
一対の係合爪２１ｂは、ランプハウジング２１の中心（又は重心）を基準として略対角線上に振り分け配置されており、嘴状に突出する先端２１ｄが側面視で互いに向き合うランス形状に形成されている。
【００３１】
一対の弾性係合爪２７は、バルブ２３の中心を基準として略対角線上に振り分け配置されており、円弧形状の上端２７ａから嘴状に突出する先端部２７ｂが側面視で互いに離反するランス形状に屈曲形成された板バネから構成されている。また、図５（Ｂ）に示すように、弾性係合爪２７の一端２７ｃを保持開口２１ｃの一壁面からランプハウジング２１内に埋設して固定すると共に、他端２７ｄを自由端として変形可能としている。
【００３２】
先端部２７ｂの底面は、取付パネル１２の上面側と取付パネル１２の底面側とに跨るように先端部２７ｂ側に向かって上向きな傾斜係合面２７ｅとなっている。また、他端２７ｄの近傍には、保持開口２１ｃの周縁部底面２１ｅに先端２７ｇが弾接する脱落防止片２７ｆが形成されている。
【００３３】
この脱落防止片２７ｆは、先端２７ｇが周縁部底面２１ｅと当接するように先端２７ｇ側に向かって上向き傾斜されている。
【００３４】
このような構成においては、先ず、図４（Ａ），（Ｂ）に示すように、係合爪２１ｂの先端２１ｄでスリット１３ｆを強制的に広げつつ係合爪２１ｂの上端を係合爪貫通穴１３ｅから挿入し、係合爪２１ｂの先端底面を周辺部１３ｇの上面に当接させることによってルームランプ１４をルーフトリム１３に仮固定する。尚、スリット１３ｆは、ルーフパネル１３の材料特性並びにルームランプ１４の荷重等によって自然と閉塞する。
【００３５】
次に、図４（Ｃ）に示すように、弾性係合爪２７の傾斜係合面２７ｅを被係合部１２ｅに当接させることによってルームランプ１４をルーフトリム１３と一体にルーフパネルとしての取付パネル１２に本固定する。
【００３６】
この際、弾性係合爪２７の他端２７ｄは自由端であることから、図５（Ａ）に示すように、弾性係合爪２７の上端２７ａから先端部２７ｂに至る円弧・傾斜形状に案内されて上端２７ａの円弧が小さくなりつつ先端部２７ｂから他端２７ｄに至る部位が一端２７ｃ側に変位される。
【００３７】
さらに、先端部２７ｂが凹部１２ｄを貫通すると、図５（Ｂ）に示すように、変形部位が弾性復帰して被係合部１２ｅに対する傾斜係合面２７ｅと当接する。また同時に、脱落防止片２７ｆの先端２７ｇが周縁部底面２１ｅと当接する。
【００３８】
このように、弾性係合爪２７の先端部２７ｂには、被係合部１２ｅに当接した際には取付パネル１２の上面側と取付パネル１２の底面側とに跨るように先端部２７ｂ側に向かって上向きな傾斜係合面２７ｅが形成されていることにより、弾性係合爪２７と被係合部１２ｅとの三次元の相対位置関係を厳密に確保しなくとも傾斜係合面２７ｅを被係合部１２ｅに容易に当接させることができる。
【００３９】
また、弾性係合爪２７を板バネから形成することにより、比較的強い弾性力を確保した状態で屈曲形成が容易であり、しかも、誤差の吸収（スプリングバック等）を厳密に考慮する必要なく、安価に製造することができる。
【００４０】
さらに、弾性係合爪２７の自由端部に周縁部底面２１ｅと当接する脱落防止片２７ｆが形成されている。この脱落防止片２７ｆは、その先端２７ｇが周縁部底面２１ｅに当接した状態のときに先端２７ｇ側に向かって上向きとなるように傾斜され、これにより、ルームランプ２０からの荷重による弾性係合爪２７の保持力（持ち上げ力）を高く維持することができる。
【００４１】
尚、上記実施の形態では、弾性係合爪２７を板バネから構成したものを開示したが、傾斜係合面２７ｅと被係合部１２ｅとの係合関係のみで考えた場合には、ランプハウジング２１と一体成形による樹脂やゴム等によって形成することも可能である。
【００４２】
即ち、仮固定用の係合爪２１ｂはランプハウジング２１と一体成形とし、本固定用の弾性係合爪２７はランプハウジング２１と別部材で形成したのは、仮固定時と本固定時とのルームランプ２０の高さの差に起因するためである。
【００４３】
これに対して、本願発明の傾斜係合面２７ｅは、本固定時に被係合部１２ｅの表裏に跨るように傾斜しているため、仮固定時と本固定時とにおける高さの差は充分に吸収することができる。
【００４４】
ところで、ルーフトリム１３は、内壁１１側に位置する基材１３ｈと車室内側に位置する表装材１３ｉとで構成されている。そして、ルーフトリム１３が比較的硬い場合、例えば、基材１３ｈの材質に発砲ウレタン、表装材１３ｉの材質にフエルト，レジン，不織布等を用いたものがある。一方、ルーフトリム１３が比較的軟らかい場合、例えば、基材１３ｈの材質に発砲ウレタン、表装材１３ｉの材質にシートファブリック等を用いたものがあるが、その材質自体は特に限定されるものではない。
【００４５】
尚、比較的硬いルーフトリム１３とした場合には、ランプハウジング２１の周囲に設けられた当て部２１ｅを形成することにより、ランプ収納凹部１３ａの開放端寄り壁面に当て部２１ｅを押し当てれば、弾性係合爪２７と協同してのルームランプ１４の車体上下方向の位置決めを確実に行なうことができ、ルームランプ１４のガタも吸収することができる。
【００４６】
比較的軟らかいルーフトリム１３とした場合には、ランプ収納凹部１３ａの開放端寄り壁面に当て部２１ｅを食い込むように押し当てれば、弾性係合爪２７と協同してのルームランプ１４の車体上下方向のより一層の寸法誤差に対応した位置決めを確実に行うことができ、ルームランプ１４のガタも吸収することができる。
【００４７】
【発明の効果】
以上説明したように、請求項１に記載の車両用ルームランプにあっては、弾性係合爪は、ルーフパネルの被係合部との係合面をルーフパネルの上面側とルーフパネルの底面側とに跨るように先端側に向かって上向きな傾斜係合面としたことにより、弾性係合爪と被係合部との三次元の相対位置関係を厳密に確保する必要なくルーフトリムと一体にルームランプをルーフパネルに本固定することができる。
【００４８】
また、請求項１に記載の車両用ルームランプにあっては、弾性係合爪は、その中途部に係合面を有するように所定形状に屈曲された板バネから形成されると共に、その基端のみが上面に固定されていることにより、スプリングバック等の成形誤差を考慮することなく、確実且つ強固な本固定を実現することができ、しかも、安価に製造することができる。
【００４９】
さらに、請求項１に記載の車両用ルームランプにあっては、その弾性係合爪の自由端部には、ランプ本体の底面と当接する脱落防止片が形成されていることにより、剛性の高い弾性係合爪でルームランプを本固定することができる。
【００５０】
しかも、請求項２に記載の車両用ルームランプにあっては、脱落防止片は、その先端側でランプ本体の底面と当接するように先端側に向かって上向き傾斜されていることにより、より一層強固にルームランプを本固定することができる。
【図面の簡単な説明】
【図１】本発明の実施の形態１に係わる車両用ルームランプを示し、本固定前の状態の底面側からの斜視図である。
【図２】同じく、（Ａ）は図３のＡ−Ａ線に沿う縦断面図、（Ｂ）は図３のＢ−Ｂ線に沿う縦断面図である。
【図３】同じく、ルームランプの平面図である。
【図４】同じく、（Ａ）は仮固定前の要部の断面図、（Ｂ）は仮固定状態の要部の断面図、（Ｃ）は本固定状態の要部の断面図である。
【図５】同じく、（Ａ）は弾性係合爪による本固定完了直前状態の要部の拡大断面図、（Ｂ）は弾性係合爪による本固定完了状態の要部の拡大断面図である。
【図６】従来の車両用ルームランプを示し、本固定前の状態の底面側からの斜視図である。
【図７】同じく、ルームランプの平面図である。
【図８】同じく、（Ａ）は仮固定前の要部の断面図、（Ｂ）は仮固定状態の要部の断面図、（Ｃ）は本固定状態の要部の断面図である。
【図９】同じく、（Ａ）は弾性係合爪による本固定完了直前状態の要部の拡大断面図、（Ｂ）は弾性係合爪による本固定完了状態の要部の拡大断面図である。
【符号の説明】
２０…ルームランプ（ランプ本体）
１２…取付パネル（ルーフパネル）
１２ｅ…被係合部
１３…ルーフトリム
１３ｄ…被係合部
２１…ランプハウジング
２１ａ…上面
２１ｄ…係合爪
２７…弾性係合爪
２７ｂ…先端
２７ｃ…一端
２７ｄ…他端（自由端）
２７ｅ…傾斜係合面
２７ｆ…脱落防止片
２７ｇ…先端
【図１】
0004114324.tif 000002
【図２】
0004114324.tif 000003
【図３】
0004114324.tif 000004
【図４】
0004114324.tif 000005
【図５】
0004114324.tif 000006
【図６】
0004114324.tif 000007
【図７】
0004114324.tif 000008
【図８】
0004114324.tif 000009
【図９】
0004114324.tif 000010